(57)【要約】【課題】紫外線ランプ６ａで光触媒フィルタ７ｃと電気集塵装置１を同時に殺菌する。【解決手段】筐体表面に吸込口と吹出口を設け、筐体内に熱交換器と送風ファンを備え、前記吸込口と吹出口の間に送風路を形成し、前記吸込口から吸い込んだ室内空気を熱交換した後、吹出口より室内へ送風する空気調和機に於いて、前記送風路に光触媒フィルタ７ｃと電気集塵装置１を設け、前記光触媒フィルタ７ｃと電気集塵装置１の間に紫外線ランプ６ａを位置させた。また光触媒フィルタ７ｃと紫外線ランプ６ａと電気集塵装置１は前記吸込口と熱交換器の間に設けた。また光触媒フィルタ７ｃを紫外線ランプ６ａの風上側に、前記電気集塵装置１を紫外線ランプ６ａの風下側に設けたものである。【選択図】      図２
2004340456.tif 000002
【特許請求の範囲】
【請求項１】
筐体表面に吸込口と吹出口を設け、筐体内に熱交換器と送風ファンを備え、前記吸込口と吹出口の間に送風路を形成し、前記吸込口から吸い込んだ室内空気を熱交換した後、吹出口より室内へ送風する空気調和機に於いて、前記送風路に光触媒フィルタと電気集塵装置を設け、前記光触媒フィルタと電気集塵装置の間に紫外線ランプを位置させた事を特徴とする空気調和機。
【請求項２】
前記光触媒フィルタと紫外線ランプと電気集塵装置は前記吸込口と熱交換器の間に設けた事を特徴とする請求項１記載の空気調和機。
【請求項３】
前記光触媒フィルタを紫外線ランプの風上側に、前記電気集塵装置を紫外線ランプの風下側に設けた事を特徴とする請求項１〜２記載の空気調和機。
【発明の詳細な説明】
【０００１】
【発明の属する技術分野】
この発明は空気調和機に関し、特に室内空気の脱臭及び集塵を行うものに関する。
【０００２】
【従来の技術】
従来の空気調和機は臭気を含んだ室内空気を内部に吸引し、吸引された空気は、熱交換器、紫外線ランプにより紫外線が照射される脱臭剤、送風機を通り再び室内に吐出される。また脱臭剤は酸化チタン光触媒層を表面に形成した活性炭で構成され、脱臭剤に吸着された臭気成分を紫外線と光触媒層によって分解することにより、脱臭効果を長期間にわたり保持できるものであった。（例えば、特許文献１参照）
【０００３】
【特許文献１】
特許第３１２２４２４号公報
【０００４】
【発明が解決しようとする課題】
しかしながら、この従来の空気調和機では吸着剤と光触媒による臭気成分の吸着、分解による臭気脱臭を得るものであるが、室内空気に含まれる微細な粉塵や光触媒では分解されない無機物質への対応がなされておらず、脱臭運転を続けるうちに脱臭剤表面に微細な粉塵や無機物質が蓄積して、定期的に微細な粉塵や無機物を取り除かないと脱臭性能が低下するという欠点が有った。
【０００５】
【課題を解決するための手段】
この発明はこの点に着目し上記欠点を解決する為、筐体表面に吸込口と吹出口を設け、筐体内に熱交換器と送風ファンを備え、前記吸込口と吹出口の間に送風路を形成し、前記吸込口から吸い込んだ室内空気を熱交換した後、吹出口より室内へ送風する空気調和機に於いて、前記送風路に光触媒フィルタと電気集塵装置を設け、前記光触媒フィルタと電気集塵装置の間に紫外線ランプを位置させたものである。
【０００６】
また前記光触媒フィルタと紫外線ランプと電気集塵装置は前記吸込口と熱交換器の間に設けたものである。
また前記光触媒フィルタを紫外線ランプの風上側に、前記電気集塵装置を紫外線ランプの風下側に設けたものである。
【０００７】
これによって、臭気成分を光触媒と紫外線ランプで分解するだけでなく、室内空気に含まれる微細な粉塵や光触媒では分解されない無機物質を集塵電極に吸い付け、蓄積した粉塵に混入する細菌を紫外線ランプで殺傷する事ができ、１つの紫外線ランプで光触媒フィルタと電気集塵装置に対して同時に紫外線照射ができ、より空気清浄効果の高い空気調和機を提供できるものである。
【０００８】
【発明の実施の形態】
以下この発明の一実施例を図１〜図２をもとに説明すれば、１は空気調和機２の通風経路の一部に組み込まれた電気集塵装置で、絶縁性のプラスチック等より成る集塵枠３内に約４０００ボルトの直流電源のマイナスと接続される放電極４と直流電源のプラス側と接続される放電対極５を備えるものである。
前記枠体３は左右に２つに別れ、それぞれに放電極４と放電対極５が１つずつ取付られるものである。
【０００９】
前記放電極４は厚さ約１ｍｍのアルミニウム製フレーム４ａの中央に平行な放電極基板４ｂを形成し、この放電極基板４ｂから風下側に向かって先尖状の放電針４ｃを備えたもので、前記枠体３に備えた爪３ａによって取付られている。
前記放電対極５は厚さ約１ｍｍのアルミニウム製平板の中央部分に直径約１７ｍｍ程の複数の孔部５ａを設けると共に板の端部５ｂを比較的熱に強い性質のプラスチック等の絶縁部材で覆い、この絶縁部材の一部を凸設して取手５ｃを形成し、前記枠体３の左右と中央の内側に設けた溝３ｂへ下方よりスライドさせて簡単に着脱できるようにしたものである。
【００１０】
そして前記放電極４の放電針４ｃの先端は取付時には放電対極５の孔部５ａの中心よりも１ｍｍ〜５ｍｍ風上側（この実施例では２ｍｍ風上側）に位置するようにセットされている。これにより前記放電対極５の板部５ｄで集塵部を兼ねることができるようにすると共に放電対極５のみを着脱自在にすることができるものである。
又前記集塵枠３の側面或いは中央には放電極４とマイナス側電源を接続するマイナス端子３ｃと、放電対極５とプラス側電源を接続するプラス側端子３ｄを備えている。
【００１１】
前記集塵枠３の前面にはランプユニット６を備え、このランプユニット６の中央に円筒状の紫外線ランプ６ａを横長に取り付ける樹脂製のランプ枠６ｂを備え、左右に４箇所設けた爪６ｃ等の固定手段で前記集塵枠３の取付穴３ｅに係止して取り付けるものであり、前記紫外線ランプ６ａは点灯時に熱を発生するものである。
【００１２】
７は脱臭フィルタユニットで、前記紫外線ランプユニット６前面の風上側に設けられ、フィルタ枠７ａの前後に４箇所設けた爪７ｂ等の固定手段によって、前記ランプユニット６の取付穴６ｄに係止して取り付けられるものであり、光触媒フィルタ７ｃは活性炭等の吸着剤を不織布等により混入させたもので、臭気成分を吸着し臭気の脱臭を行うと共に、光触媒層への紫外線の照射により、吸着剤に吸着された臭気成分を分解するものである。
また前記光触媒フィルタ７ｃの吸着剤や不織布等は比較的熱に弱いために、熱を発生する紫外線ランプ６ａよりも風上側に設ける事でより安全に使用する事ができるものである。
前記フィルタ枠７ａの前面下部には脱臭フィルタユニット７の着脱を行う取手７ｄを備えている。
【００１３】
３ｆは前記枠体３の風下側に突出した取付足で、フィンチューブ式の熱交換器８の前面のフィン８ａ或いは熱交換パイプ８ｂの間に挿入して取り付けられるものであり、また熱交換器８は前側に傾斜する前部熱交換器８ａと背面側に傾斜する後部熱交換器８ｂで構成されるものである。
前記空気調和機２は背面のケーシング９と前面の前パネル１０に依って筐体外面を構成し、前記前パネル１０前面と上面に空気吸込口１１を設け、この吸込口１１の裏面に沿って空気中の比較的大きな塵を取り除く網目状のプレフィルタ１２を備えている。
このプレフィルタ１２の風下には、前記熱交換器８を設けプレフィルタ１２と熱交換器８の間の上部には光触媒フィルタ７ｃ、紫外線ランプ６ａ、電気集塵装置１を備えている。
【００１４】
１３は冷房運転時に前記熱交換器８で発生した結露水を受けるドレーン皿で、前記前部熱交換器８ｃの結露水を受ける前部ドレーン皿１３ａと、後部熱交換器８ｄの結露水を受ける後部ドレーン皿１３ｂを備えている。
前記前部ドレーン皿１３ａの背面側の壁面と、後部ドレーン皿１３ｂの前面側壁面は送風ファン１４の整流板を兼ねるものである。
前記送風ファン１４は熱交換器８とケーシング９の間に備えた横流ファンで、吸込口１１から室内空気を吸入し前記前パネル１０下部に設けた吹出口１５より吹き出すものであり、この吹出口１５には吹き出し空気の方向を使用者の好みによって変えるための上下風向板１６と左右風向板１７を備えている。
【００１５】
作動について説明すれば、空気調和機２を運転すれば送風ファン１４や圧縮機（図示せず）が運転を始め、吸込口１１から吸い込まれた室内の空気はプレフィルタ１２にて比較的大粒の塵埃が取り除かれたのち一部の空気は直接熱交換器８へすすみ、又一部の空気は光触媒フィルタ７ｃ、電気集塵装置１を通過したのち熱交換器８にて熱交換され送風ファン１４を経由して吹出口１５より室内へ吹き出される。
【００１６】
この時紫外線ランプ６ａと電気集塵装置１の運転装置（図示せず）を作動すれば、紫外線ランプ６ａが点灯を開始すると共に、放電極４と放電対極５との間に約４０００ボルトの直流電圧が加えられ、これにより空気中のタバコの煙や目に見えないような小さな塵埃が放電極４の放電針４ｃと放電対極５の孔部５ａの縁の間を通過する際にマイナスの電荷を帯び、この孔部５ａ通過後にプラス側に帯電している放電対極５裏面の板部５ｄに引きつけられて吸着し、空気中の塵埃が取り除かれ、空気中の臭気成分は光触媒フィルタ７ｃに取り除かれ、紫外線の照射によって光触媒フィルタ７ｃの光触媒層が反応して同時に臭気成分を分解し、光触媒フィルタ７ｃの掃除や交換時期を長くすることができるものであり、また電気集塵装置１の放電対極５に蓄積する塵埃に混じる細菌を殺菌し、より室内空気を清浄化するものである。
【００１７】
掃除について説明すれば、汚れた脱臭フィルタユニット７を取り外した後、汚れた放電対極５を枠体３の溝部３ｂに沿って引き抜けば簡単に取り出せるものであり、洗剤にて水洗いするのも放電極４の放電針４ｃや放電極基板４ｂが邪魔になるようなこともなくきわめて簡単で且つ安全なものである。また、通常の汚れでは放電対極５のみを掃除すれば良いが、特に汚れがひどくて放電針４ｃも掃除の必要が有る場合には、放電対極５を取り外したのちに、枠体３の爪３ａを外して放電極４も取り外すことができるものである。また、放電極４及び放電対極５を取り付けるのは単純に取外しの逆を行えば良くきわめて簡単なものである。
【００１８】
またこの実施例に於いては、光触媒フィルタ７ｃに光触媒層を設けたが、放電極４や放電対極５にも光触媒層を形成すれば、より効果的な室内空気の清浄化が実現できるものであり、電気集塵装置１を紫外線ランプ６ａの風上側に、光触媒フィルタ７ｃを紫外線ランプ６ａの風下側に設けても効果的な室内空気の清浄化が実現できるものである。
【００１９】
このように、、臭気成分を光触媒と紫外線ランプ６ａで分解するだけでなく、室内空気に含まれる微細な粉塵や光触媒では分解されない無機物質を集塵電極に吸い付け、蓄積した粉塵に混入する細菌を紫外線ランプ６ａで殺傷する事ができ、１つの紫外線ランプ６ａで光触媒フィルタ７ｃと電気集塵装置１に対して同時に紫外線照射ができ、より空気清浄効果の高い空気調和機を提供できるものである。
また光触媒フィルタ７ｃと紫外線ランプ６ａと電気集塵装置１を吸込口１１と熱交換器８の間の空間に設けたので、掃除やその他メンテナンスが容易に行えると共に、熱交換器８の風上側に位置することで、熱交換器８への臭気成分や塵埃の付着を少なくできるものである。
また構造が比較的複雑な電気集塵装置１を熱交換器８側に配置する事で、光触媒フィルタ７ｃと紫外線ランプ６ａと電気集塵装置１をユニットでコンパクトに空気調和機に取り付ける事ができるものである。
また比較的熱に弱い光触媒フィルタ７ｃを紫外線ランプ６ａの風上側に、比較的熱に強い電気集塵装置１を紫外線ランプ７ｃの風下側に位置させたことで、紫外線ランプ６ａの発生する熱に対してより安全な空気調和機を提供できるものである。
【００２０】
【発明の効果】
以上のようにこの発明によれば、臭気成分を光触媒と紫外線ランプで分解するだけでなく、室内空気に含まれる微細な粉塵や光触媒では分解されない無機物質を集塵電極に吸い付け、蓄積した粉塵に混入する細菌を紫外線ランプで殺傷する事ができ、１つの紫外線ランプで光触媒フィルタと電気集塵装置に対して同時に紫外線照射ができ、より空気清浄効果の高い空気調和機を提供できるものである。
また光触媒フィルタと紫外線ランプと電気集塵装置を吸込口と熱交換器の間の空間に設けたので、掃除やその他メンテナンスが容易に行えると共に、熱交換器の風上側に位置することで、熱交換器への臭気成分や塵埃の付着を少なくできるものである。
また比較的熱に弱い光触媒フィルタを紫外線ランプの風上側に、比較的熱に強い電気集塵装置を紫外線ランプの風下側に位置させたことで、紫外線ランプの発生する熱に対してより安全な空気調和機を提供できるものである。
【図面の簡単な説明】
【図１】この発明一実施例の断面図。
【図２】同要部の分解状態の斜視図。
【符号の説明】
１  電気集塵装置
６ａ  紫外線ランプ
７ｃ  光触媒フィルタ
１１  吸込口
１５  吹出口
【図１】
2004340456.tif 000003
【図２】
2004340456.tif 000004